Podtech/llm-jp-corpus-v4-ja_patent huggingface dataset:
(57)【要約】【課題】  透水性能が高く、切れにくい中空糸分離膜の製造方法の提供。【解決手段】  三重管ノズル１を使用する中空糸分離膜の製造方法であって、高温で溶媒に溶解して得られた高温状態のポリマー溶液を中間ノズル３から吐出し、中空部形成剤液を内側ノズル２から吐出し、孔形成剤液を外側ノズル４から吐出することにより紡糸した後、冷却して相分離させる。【選択図】  図１
2009195764.tif 000002
【特許請求の範囲】
【請求項１】
三重管ノズルを使用する中空糸分離膜の製造方法であって、
溶媒に溶解して得られた高温状態のポリマー溶液を中間ノズルから吐出し、中空部形成剤液を内側ノズルから吐出し、孔形成剤液を外側ノズルから吐出した後、冷却することにより相分離させる、中空糸分離膜の製造方法。
【発明の詳細な説明】
【技術分野】
【０００１】
本発明は、水の浄化処理等に使用できる中空糸分離膜の製造方法に関する。
【背景技術】
【０００２】
膜を多孔質化する方法としては、ポロジェン法、非溶媒誘起相分離法等があるが、これらの方法では、均一な多孔質膜を作製することが困難である。これらに代わる方法として、熱誘起相分離法（ＴＩＰＳ法）が知られている。熱誘起相分離法は、高温で溶媒に溶解してポリマー溶液を冷却することで相分離をさせて、多孔質化する方法である。
【０００３】
特許文献１には、熱誘起相分離法を利用して、流延することでフィルム状の多孔質膜を得る発明が記載されているが、中空糸膜を得ることについての記載はない。特許文献２、３には、三重管ノズルを使用して中空糸膜を得ることが記載されている。
【特許文献１】特開２００３−１７０７４号公報
【特許文献２】特開平２−２９０２２９号公報
【特許文献３】特公平７−９８１３６号公報
【発明の開示】
【発明が解決しようとする課題】
【０００４】
本発明は、透水性能が良く、断線し難いものが得られる中空糸分離膜の製造方法を提供することを課題とする。
【課題を解決するための手段】
【０００５】
本発明は、三重管ノズルを使用する中空糸分離膜の製造方法であって、
溶媒に溶解して得られた高温状態のポリマー溶液を中間ノズルから吐出し、中空部形成剤液を内側ノズルから吐出し、孔形成剤液を外側ノズルから吐出した後、冷却することにより相分離させる、中空糸分離膜の製造方法を提供する。
【発明の効果】
【０００６】
本発明の製造方法によれば、熱誘起相分離法を利用し、三重管ノズルを使用することにより、透水性能が高く、糸切れしにくい中空糸分離膜を得ることができる。
【発明を実施するための最良の形態】
【０００７】
本発明の製造方法にて紡糸に使用するポリマー溶液は、膜形成用ポリマーと高沸点溶媒との混合物を、前記高沸点溶媒の沸点未満で、かつバイノーダル温度以上で溶解させて得ることができる。バイノーダル温度とは、膜形成用ポリマーを高沸点溶媒に混合させた場合、高温で融解させた熱力学的に均一な混合物溶液の液相（１相）領域と、セルロース誘導体の濃厚相と希薄相からなる２相領域の境界の温度をいう。
【０００８】
膜形成用ポリマーは特に制限されないが、酢酸セルロース、酢酸プロピオン酸セルロース、酢酸酪酸セルロース等のセルロース誘導体を挙げることができ、これらの共重合体からなるものであってもよい。
【０００９】
高沸点溶媒は、沸点が１００℃以上のものが好ましく、２−メチル−２，４−ペンタンジオール（沸点１９７℃）、２−エチル−１，３−ヘキサンジオール（沸点２４５℃）等を挙げることができる。
【００１０】
溶解温度は、溶媒のバイノーダル温度以上で、好ましくはバイノーダル温度から５０℃高い温度範囲内、より好ましくはバイノーダル温度から３０℃高い温度範囲内である。
【００１１】
本発明の製造方法にて紡糸に使用する中空部形成剤液としては、２−メチル−２，４−ペンタンジオール、２−エチル−１，３−ヘキサンジオール等を挙げることができる。
【００１２】
本発明の製造方法にて紡糸に使用する孔形成剤液としては、２−メチル−２，４−ペンタンジオール、２−エチル−１，３−ヘキサンジオール、Ｎ−メチル−２−ピロリドン、ポリエチレングリコール等を挙げることができる。
【００１３】
本発明の製造方法では、図１に示すような概略構造の紡糸三重管ノズルを使用する。図１は、三重管ノズル１の縦断面図である。
【００１４】
三重管ノズル１は、内側ノズル２、中間ノズル３、外側ノズル４の３つのノズルを有しており、３つのノズルは同心円を形成している。紡糸するときは、高温状態のポリマー溶液を中間ノズル３から吐出し、それと並行して、中空部形成剤液を内側ノズル２から吐出し、孔形成剤液を外側ノズル４から吐出する。このときの巻き取り速度は、約２０〜４０ｍ／分が好ましい。
【００１５】
このようにして三重管ノズルを用いて紡糸した後、好ましくは空気中を通過させた後、水浴又は温水浴中に導いて冷却する。この冷却により、液−液相分離を生じさせ、１相（混合物溶液相）から２相（膜形成ポリマー溶液の濃厚相と希薄相）に相分離させる。
【００１６】
冷却は、紡糸直後の温度から、好ましくは５０〜２００℃低い温度まで、より好ましくは７０〜１５０℃低い温度まで冷却する。
【００１７】
その後、水等の他の溶媒を用いた液液抽出、減圧下における常温乃至は加熱乾燥等の方法により、残存する高沸点溶媒を除去して、中空糸分離膜を得る。
【実施例】
【００１８】
（１）純水透水性能
有効長５０ｃｍの中空糸分離膜に、２５℃の純水で０．１ＭＰａの水圧を内側からかけ、単位時間当たりに透過した純水の量を測定し、その透水流束を内表面積基準の膜面積で割って求めた。
【００１９】
（２）引張破断点強度、引張伸度
有効長５ｃｍの中空糸分離膜を、引張試験機（EZTest，島津製作所）を用いて、クロスヘッド速度１０ｍｍ／分で引っ張り、破断点における強度と伸びを測定した。
【００２０】
実施例１
酢酸酪酸セルロース３０質量％、２−メチル−２，４−ペンタンジオール７０質量％の混合物を１８０℃で加熱溶解させ、ポリマー溶液を得た。このポリマー溶液を三重管ノズルの中間ノズルから吐出させ、並行して、２−メチル−２，４−ペンタンジオールを内側ノズルと外側ノズルから吐出させ、４０ｍ／分の巻き取り速度で紡糸した。
【００２１】
１秒間空気中を通過させた後、４０℃の温水浴中に導いて冷却して、相分離させ、水中に浸漬して脱溶媒し、内径０．８ｍｍ、外径１．３ｍｍの中空糸分離膜を得た。
【００２２】
実施例２
外側ノズルからポリエチレングリコール（平均分子量２００）を吐出させたほかは実施例１と同様にして、同寸法の中空糸分離膜を得た。
【００２３】
実施例３
外側ノズルからＮ−メチル−２−ピロリドンを吐出させたほかは実施例１と同様にして、同寸法の中空糸分離膜を得た。
【００２４】
比較例１
外側ノズルからは何も吐出させなかったほかは実施例１と同様にして、同寸法の中空糸分離膜を得た。
【００２５】
【表１】
2009195764.tif 000003
【図面の簡単な説明】
【００２６】
【図１】本発明で用いる三重管ノズルの縦断面図。
【図１】
2009195764.tif 000004
(57)【要約】【課題】  プレスやパンチャーで１ｍｍ幅位のスリット状の穴をあける時幅方向のみダイスがあれば穴をあけられポンチを提供する。【解決手段】  先端を片勾配にした薄い板状ポンチ１の側端面を面取りしたことを特徴とする。【選択図】図１
2009195978.tif 000002
【特許請求の範囲】
【請求項１】
先端部を片勾配にした薄い板状ポンチ１の側端部を面取りしたポンチ。
【発明の詳細な説明】
【技術分野】
【０００１】  この発明は材料に１ｍｍ内外の幅の狭いスリット状の長穴をあけるためのポンチに関するものである。
【背景技術】
【０００２】  従来プレス、パンチャーがあります。
【発明の開示】
【発明が解決しようとする課題】
【０００３】  プレスで材料面に１ｍｍ内外の幅の狭いスリット状の長穴をあける時にポンチの抵抗を減らすため先端を片勾配にするとあけた材料片が残留するのでスリット穴でもポンチと同形の断面形状の全周ダイスが必要であった。
本発明はパンチの先端を片勾配にしても材料片が残留しない、又ダイス形状を２面に簡略し且つポンチ長さを変えてスリット長さが変わってもダイス長さの範囲内ならダイスを兼用できるポンチを提供することを課題とする。
【課題を解決するための手段】
【０００４】  薄い板状ポンチ１の先端を片勾配にしてその側端面を面取りした。
本発明は以上のような構成よりなるポンチである。
【発明の効果】
【０００５】  ポンチ１側端面の面取りによってあけた材料片が切れるので連続して穴あけが出来る。
ダイス３の長さの範囲内ならポンチ１の長さが変わってもダイス３は替えなくてもよくなった。
ダイス３部分が２面のみで穴あけが可能である。
【発明を実施するための最良の形態】
【０００６】  以下、本発明の実施の形態について説明する。
ダイス３を隙間を空けて配置固定しその上に材料を置き上からポンチ１を加圧し材料、隙間へと押し込み穴をあける。
【図面の簡単な説明】
【０００７】
【図１】本発明の正面図である。
【図２】図１の右側面図である。
【図３】図１のＡ線の断面図である。
【符号の説明】
【０００８】  １ポンチ
２材料
３ダイス
【図１】
2009195978.tif 000003
【図２】
2009195978.tif 000004
【図３】
2009195978.tif 000005
(57)【要約】【課題】金属接合用超音波溶接機を使用して多層金属箔を接合する場合、投入エネルギーを上げると上部箔の破損、溶着、過度の変形が発生し、また投入エネルギーを下げると多層箔の中間で接合強度の不足が発生し、安定した接合を得ることは困難である。  本発明は超音波溶接機による多層金属箔の安定した接合方法を提供するものである。【解決手段】超音波溶接機により多層金属箔を接合する場合、加圧を保持したまま複数回の超音波を発信し、一回当たりのエネルギー投入量をコントロールする。【選択図】図１
2009195979.tif 000002
【特許請求の範囲】
【請求項１】
加圧を保持した状態で複数回の超音波発信を行なう、超音波溶接機を使用した多層金属箔の接合方法。
【請求項２】
発信間隔を０．１秒とする［請求項１］の接合方法。
【発明の詳細な説明】
【技術分野】
【０００１】  この発明は、加圧を保持したまま複数回の超音波振動の発信を行なう、超音波溶接機を使用した多層金属箔の接合方法に関するものである。
【背景技術】
【０００２】  従来、金属接合用超音波溶接機を使用する場合、接合は一回の超音波振動の発信により行い、発信毎に加圧を解除した。多層箔の接合でも同様の方法で行なわれてきた。
【発明の開示】
【発明が解決しようとする課題】
【０００３】  これは次のような欠点があった。
（イ）一回の発信で接合を行う場合、多層の箔を接合するには大きなエネルギーの投入を必要とし、その結果として上部箔の破損、溶着、過度の変形が頻発し、安定した接合が得られなかった。
（ロ）また、上記問題に対応するためエネルギー投入量を落とした場合には多層箔の中間での接合強度を得ることができなかった。
【課題を解決するための手段】
【０００４】（イ）超音波溶接機を、加圧を保持したまま複数回超音波を断続的に発信（パルス制御）出来るように改造する。（図１参照）
（ロ）箔の素材、厚さ、枚数、によって適正なエネルギー及び加圧の設定を行い、加圧状態の中で適正間隔で、適正回数の超音波発信を行なう。
【発明の効果】
【０００５】  本発明により
（イ）一回の発信で投入するエネルギー量を抑えることができるため、多層箔接合時の上部箔の破損、溶着、過度の変形が顕著に減少し
（ロ）複数回の発信により多層箔中間部での接合強度不足も解消し
安定した多層金属箔の接合が可能となる。
また、加圧を保持した状態で複数回の発信を行なうのでサイクルタイムに与える影響も少ない。
【発明を実施するための最良の形態】
【０００６】  以下、本発明を実施するための最良の形態について説明する。
（イ）超音波発信装置を断続発信（パルス発信）可能なように及びパルス回数を選択できるように改造する。（図１参照）
（ロ）パルスの発信停止は設定したエネルギーに到達した時点で発信を停止し、設定回数まで繰り返す。
（ハ）発信間隔は０．１秒が適正である。
（ニ）アルミ箔（２０μ）１００枚重ねて接合する場合は４パルスが適正である。
本発明は以上の方法で実施することにより、多層化傾向が進む大型リチュームイオン電池、キャパシターの電極箔の接合に最適な方法を提供するものである。
【図面の簡単な説明】
【０００７】
【図１】  本発明の超音波接合方法を実施するための装置外略図である。
【符号の説明】
【０００８】１１．溶接チップ
１２．アンビル
１３．トランスデューサー（変換機〕
１４．マス
１５．超音波発信機
１６．超音波制御装置〔変位、及びエネルギー制御〕
１７．パルス制御
３１．金属の多層箔
４１．金属板
【図１】
2009195979.tif 000003
(57)【要約】【課題】電気エネルギーを光エネルギーに変えて送る装置電気エネルギーの損失を軽減すること。【解決手段】光エネルギーの送光装置を使って電気エネルギーを送電する。【選択図】図１
2009195094.tif 000002
【特許請求の範囲】
【請求項１】
電気エネルギーを光エネルギーに変えて、光ファイバーで光エネルギーを送る装置の構造
【請求項２】
光エネルギーを集める装置の構造
【請求項３】
光エネルギーを広げる装置の構造
【発明の詳細な説明】
【技術分野】
【０００１】電気エネルギーを光エネルギーに変えて、光エネルギーを送る装置
【背景技術】
【０００２】従来の電気エネルギーを送電すると電線の抵抗で電気エネルギーを損失していました。
【発明の開示】
【発明が解決しようとする課題】
【０００３】電気エネルギーを損失しないようにすること。
【課題を解決するための手段】
【０００４】電気エネルギーを発光体１で光エネルギーに変えて、その光エネルギーを集める装置２で光ファイバー３の送る側の面６に光エネルギーを当て送り、光ファイバーの受ける側の面７から出てきた光エネルギーを広げる装置で広げて、太陽電池５で電気エネルギーに変えて、その電気エネルギーで電気機器１１を動かす。
【発明の効果】
【０００５】電気エネルギーの損失を軽減できます。
【発明を実施するための最良の形態】
【０００６】長距離にある電気機器に電気エネルギーを送ることに応用できます。長距離の送電
【図面の簡単な説明】
【０００７】
【図１】断面図  光エネルギーの送光装置
【符号の説明】
【０００８】１発光体
２光エネルギーを集める装置
３光ファイバー
４光エネルギーを広げる装置
５太陽電池
６光ファイバーの送る側の面
７光ファイバーの受ける側の面
８反射板
９レンズ
１０鏡
１１電気機器
１２光エネルギー
１３電気エネルギー
【図１】
2009195094.tif 000003
(57)【要約】  【課題】  道路の幅員や家屋の高さに合わせた、支柱からの支持杆の突出量にすることにより架空引込線の高さ規定を遵守した、架空引込線の道路横断引込装置を提供する。  【解決手段】  道路Ｒの本線線路側である一側Ｒａに立設した支柱１に、前記道路Ｒの地表面からの引込線までの高さが法定高さ以上に位置する個所にして、支持杆２を片持ち梁状にして前記道路の他側Ｒｂ方向に突設して前記道路Ｒ上に装置する。そして、支持杆２に前記本線から導出した引込線ａを支持させて、その端末を支持杆先端を経て前記道路の他側Ｒｂに位置する家屋ｈに引き留める。【選択図】    図１
2009195016.tif 000002
【特許請求の範囲】
【請求項１】
道路の本線線路側である一側に立設した支柱に、前記道路の地表面からの引込線までの高さが法定高さ以上に位置する個所にして、支持杆を片持ち梁状にして前記道路の他側方向に突設して前記道路上に装置し、該支持杆に前記本線から導出した引込線を支持させて、その端末を支持杆先端を経て前記道路の他側に位置する家屋に引き留めた、架空引込線の道路横断引込装置。
【発明の詳細な説明】
【技術分野】
【０００１】
本発明は、低圧架空電線や高圧架空電線などの架空引込線を、道路の一側から他側に設置した家屋に、道路を横断架線する際に適用する、架空引込線の道路横断引込装置に関するものである。
【背景技術】
【０００２】
架空引込線を、道路を横断させて架線するには、具体例を挙げるまでもなく、道路の一側に立設した支柱から他側に設置した家屋に直接わたして架線するようにしているのが一般である。
【０００３】
そして、架空電線（引込線も含む）の道路横断に際しては、地表面から一定高さ以上（通常５ｍ）に設置するよう義務づけられているが、電線の架線に際しては、気温の変化による熱収縮による電線の損傷、切断を避けるため、弓形形状に重みを持たせて架線するのが一般である。
【発明の開示】
【発明が解決しようとする課題】
【０００４】
いずれにしても、一般的な家屋は、前記引込電線が必要とする地表面からの高さより低いのが現状で法遵守優先させれば道路の他側にも支柱を立設して、前記の重みを吸収できる高さ位置に起点、終点（引込電線の道路横断させるときの）する必要があるが、当該支柱の設置作業が煩雑で、場所を取ることから、多くは法の遵守がなされていないのが現状である。
【０００５】
本発明は、斯様な常況を勘案し、既存の設備（支柱）を利用して、高さ規定を確実に遵守できる、架空引込線道路横断装置を提供することを目的として創案したものである。
【課題を解決するための手段】
【０００６】
道路の本線線路側である一側に立設した支柱に、前記道路の地表面からの引込線までの高さが法定高さ以上に位置する個所にして、支持杆を片持ち梁状にして前記道路の他側方向に突設して前記道路上に装置し、該支持杆に前記本線から導出した引込線を支持させて、その端末を支持杆先端を経て前記道路の他側に位置する家屋に引き留めた構成とするのである。
【発明の効果】
【０００７】
本発明によれば、当該道路の幅員や家屋の高さに合わせた、支柱からの支持杆の突出量にすることにより架空引込線の高さ規定を遵守した、架空引込線の道路横断引込装置を提供できる。
【実施例】
【０００８】
図面は、本発明に係る架空引込線の道路横断引込装置の一実施例を示し、図中、１は道路Ｒの本線線路（架空線）側である一側Ｒａに立設した支柱で、実施例の支柱１は架空引込線ａを道路Ｒを横断して家屋ｈに引込む（引留める）ために道路Ｒの前記一側に特別に立設したものであるが、既設の電柱を支柱１として適用しても不都合はない。
【０００９】
支柱１には支持杆２を片持ち梁状にして前記道路Ｒの他側Ｒｂ方向に水平に突設し、その先端を前記他側Ｒｂに設置してある引込線ａを引込むための家屋ｈの近傍に位置させてある。
【００１０】
支持杆２は、鋼管体で成り、基部を公知の鋼製バンド体３で前記支柱１に固定して取付けたもので、支柱１との間に補強杆４，４を架設して前記の片持ち梁状態を確実に保持するようにしてあり、前記道路Ｒの表面Ｒ´からこの支持杆２までの高さが、法定高さ（通常５ｍ）以上の位置に存するように配してある。
【００１１】
そして、前記架空引込線ａは、電柱Ｄ間に張架したケーブル等の架空線から分岐して支柱１まで導出され、支持杆２に沿わせて配して支持杆２の先端を経て道路Ｒの他側Ｒｂに設置してある家屋（建物）ｈに引込んだものである。
【００１２】
引込線ａの支持杆２における支持状態は任意で、支持線ａの中間部の適所をバンド片で支持杆２に締め付けたり、パイプ体を支持杆２に固定して（固定金具やバンド体で）、外パイプ体に架空引込線ａを貫通させて支持させる等自在に選択すれば良い。
【００１３】
また、支柱１からの支持杆２の突出量は、道路Ｒの幅員、家屋ａに対する引込線ａの引込み（高さ）位置を相対的に決められるが、要は、支持杆２によって引込線ａの法定高さ位置を保持すればよい。
【図面の簡単な説明】
【００１４】
【図１】略示説明図。
【符号の説明】
【００１５】
１      支柱
２      支持杆
Ｒ      道路
Ｒａ    道路の一側
Ｒｂ    道路の他側
ａ      引込線
【図１】
2009195016.tif 000003
(57)【要約】【課題】  じゃが芋が低カロリーで、ビタミンＣやカリウム等を豊富に含んだ野菜であるため、従来の小麦粉だけで作ったものより、健康保持、促進に貢献できると考え、中華麺の原料の小麦粉にじゃが芋を練り込んだ中華麺を提供する。【解決手段】  中華麺製造時に作る材料に、原材料の小麦粉と共に顆粒状のじゃが芋を混合したミックス粉を使用することを特徴とするじゃが芋を練り込んだ中華麺。【特許請求の範囲】
【請求項１】
麺製造時に作る材料に、原材料の小麦粉と共に顆粒状のじゃが芋を混合したものを使用することを特徴とするじゃが芋を練り込んだ中華麺。
【請求項２】
中華麺用の原材料の小麦粉に顆粒状のじゃが芋を混ぜ合わせたじゃが芋を練り込んだ中華麺用のミックス粉。
【発明の詳細な説明】
【技術分野】
【０００１】  本発明は、じゃが芋が低カロリーで、ビタミンＣやカリウム等を豊富に含んだ野菜であるため、従来の小麦粉だけで作ったものより、健康保持、促進に貢献できる中華そばを提供できるじゃが芋を練り込んだ中華麺に関するものである。
【背景技術】
【０００２】  従来、中華麺は小麦粉に種々の添加物を用いたものが主流であり、じゃが芋そのものを主原料としたものが無く、カロリーの高さが気になり、日常的に中華そばを食するには抵抗感のある人が多かった。
【発明の開示】
【発明が解決しようとする課題】
【０００３】  それには、次のような問題点があった。
（イ）小麦粉だけで作った麺を使用した中華そばは、カロリーが高く、食品栄養学の視点からも塩分のとりすぎやカロリー過多が言われ続けている。（成分比較表１）
（ロ）そのため、従来の中華そばでヘルシー感を出すことは困難であった。
本発明は、以上の問題点を解決しようとするものである。
【課題を解決するための手段】
【０００４】  じゃが芋を原料に混合することにより、従来の小麦粉だけで作った麺には無かったビタミンＣや、小麦粉だけで作った麺には少なかったカリウム等を中華そばを食することで自然に摂取できるし、ヘルシー感を感じる中華そばを提供できる。以上を特徴とするじゃが芋を練り込んだ中華麺である。
【発明の効果】
【０００５】  本発明は、中華麺の原料の小麦粉にじゃが芋を加えることで、じゃが芋の澱粉質の作用が影響して以下のような、小麦粉だけで作った麺には無かった特性が発現できた。
（イ）麺の食感が小麦粉だけで作ったものよりソフトになった。
（ロ）麺のコシが小麦粉だけで作ったものより強くなった。
（ハ）麺のつるみ感が小麦粉だけで作ったものより増した。
（ニ）麺のゆで上がりが小麦粉だけで作ったものより早くなった。
（ホ）麺を食したとき、小麦粉だけで作ったものより腹持ちがよくなった。
【発明を実施するための最良の形態】
【０００６】  以下、本発明の実施の形態を説明する。
（イ）中華麺の材料となる小麦粉は粉体で、じゃが芋は顆粒状であるため、全体をバランスよく混合するために、小麦粉とじゃが芋のミックス粉を作る
（ロ）ミックスの方法は、両原料をミキサーに投入し、３０秒の混合回転をさせることでミックス粉状態となる。
（ハ）ミックス粉状態になった原料に加水し中華麺に製麺する。
本発明は、以上の構成よりなるので本発明を使用するときは以下のようにする。【０００７】
【使用例１】
中華そば屋での使用例
（イ）中華そば屋等の専門店での設備では小麦粉だけで作った麺を茹でる時間より、本発明の麺を茹でる時間は大幅に短縮され、３０秒でゆで上がる。
【使用例２】
家庭での使用例
（ロ）家庭では専門店の設備とは違い、鍋は小さく浅型のものが使用されるため、茹で時間は、６０秒でよい。
（ハ）麺の茹で時間は、好みによって、ある程度自由に選択できます。
(57)【要約】【課題】夜ライトを付け、立ったままで把手を持って枠（紙袋付）の部分を犬のおしりの部分にあてがうと簡単に便を取れるし小便を洗い流すのに、把手（水筒）の水をかける。１、２、３、４共分解できる器具である。【解決手段】把手（水筒）１の先に、２懐中電灯を付けその先に枠３を付け４紙袋を装着するものである【選択図】図−２
2009195219.tif 000002
【特許請求の範囲】
【請求項１】
犬のふん取り器＋α＋α
【発明の詳細な説明】
【技術分野】
【０００１】この発明は把手の先に取り付けた枠に紙袋を取り付けて犬の大便を受け取るものである
【背景技術】
【発明の開示】
【発明が解決しようとする課題】
【０００２】現在ほとんどの人が犬が道路や草むらに大便をしたものをしゃがんで紙で捨い取っている
又、小便を他人のへい等にかけっぱなしにしている【０００３】これは次のような問題点があった
いちいちしゃがんで取らないと処置が出来ない
地面にした大便は完全に取れない
雨の日などぬれながら作業する
特に夜は作業がしにくい
【課題を解決するための手段】
【０００４】把手の先の枠に紙袋を付けている
把手部分に懐虫電灯を組み込んでいる
把手部分に水かけ用水筒を組み込んでいる
【発明の効果】
【０００５】把手の先に紙袋を付けてあるので立ったまま出来る
懐虫電灯を組み込んでいるので夜道も安全に歩ける
又作業するのも明るくして問題なく出来る
大便は紙袋にして取り外して捨てられる
小便は水筒の水をかける
【発明を実施するための最良の形態】
【０００６】以下本発明の実施例について説明する
把手＝水筒（１）の先に懐虫電灯（２）を嵌込む（２）の先端に枠（３）を嵌込む（３）に簡単に取り外せるように紙袋（４）を付ける
本発明は、以上のような構造でこれを使用する時はライトを付け把手を持って枠の部分が犬の大便の下にくるようにあてがえば良い
枠の大きさは犬の大小により変わる
又形状も犬の形によりダ円等に変える
【図面の簡単な説明】
【０００７】
【図１】本発明の平面図である
【図２】本発明の側面図である
【断面図】
本発明の部分断面図である
【符号の説明】
【０００８】１  把手（水筒）
２  懐虫電灯
３  枠
４  紙袋
【図−１】
2009195219.tif 000003
【図−２】
2009195219.tif 000004
2009195219.tif 000005
(57)【要約】      （修正有）【課題】従来のヤエンは、角度が一定になっているために、掛け針の上にうまくイカを乗せきれず、イカを逃がしてしまうことが多かった。それ故、釣り糸にワンタッチで装着できると共に、当たりを確実なものとするヤエンを提供する。【解決手段】ヤエンガイドを介して、ワンタッチでヤエンが釣り糸に装着でき、また、ヤエン投入後、ヤエンが餌魚に到達すると、感知棒がバランス重りを押し出すように機能させたことから、この重心の移動に伴って、掛け針がイカにソフトにタッチすることになって、その結果、イカの警戒をあおらず、当たりを確実なものにすることが出来る。【選択図】図１
2009195231.tif 000002
【特許請求の範囲】
【請求項１】
主棒、掛け針、バランス重り、感知棒、スライド枠、感知棒による重りの重心移動イカの引きで起きる感知棒によるロツク、上向き角度の維持。
連動型。
【発明の詳細な説明】
【技術分野】
【０００１】本発明はイカ釣り用のヤエンに関する
【背景技術】
【０００２】ヤエンによるイカ釣りは、釣り糸に針を結び餌魚の尾に刺して海中に投げ込みイカの当たりが来たら手前に寄せてヤエンを投入する。なるべく竿を立てながらヤエンをイカの真下に入れ込んで持ち上げぎみに掛けるものである。
【発明の開示】
特開２００３−１２０号広報
【発明が解決しょうとする課題】
【０００３】本来のヤエンの釣り方は角度が一定しているために、うまく掛け針の上にイカを乗せきれず、特に夜は見えにくく逃がしてしまうことが多かった。
【０００４】本発明は釣り糸にワンタッチで装着できて、餌魚に到達すると同時に感知棒がバランス重りを押し出し重心移動で針がソフトにタッチしてイカの警戒をあおらず、当たりを確実なものにする。
【発明の効果】
【０００５】従来品と比べてヤエンがイカの懐に入りやすく、バラシがなく確実にかかる。
【発明を実施するための最良の形態】
【０００６】本発明のヤエンは投入時バランス重り針方向にして、掛け針と釣り糸のからみが、ないように投入する。
【図面の簡単な説明】
【０００７】餌魚にイカが抱きつくと釣り糸１に、２、３、４、の順にヤエンガイドを装着してヤエンを投入し、２、の感知棒が餌魚に衝突する事により７、のバランス重りが押し出され６、の回転軸を支点に天秤状態となり５、の針先がイカに押し当てられイカが逃げようとする時、自動的針がかかり、引くほど２、の感知棒が７、の重りを突っ張る事で、ロックされ角度を維持する事によりバラシを無くす。
【符号の説明】
【０００８】１  釣り糸                    ６  回転軸
２  感知棒                    ７  移動重り
３  ヤエンガイド              ８  主棒
４  ヤエンガイド              ９  スライド枠
５  掛け針
【図１】
2009195231.tif 000003
【図２】
2009195231.tif 000004
【手続補正書】
【提出日】平成21年3月23日(2009.3.23)
【手続補正１】
【補正対象書類名】明細書
【補正対象項目名】０００７
【補正方法】変更
【補正の内容】
【０００７】
【図１】イカ掛け用ヤエンの形態を示す側面図である。
【図２】イカ掛け針が振り上がりイカに押し当てられた実施の側面図である。
(57)【要約】      （修正有）【課題】単純な装置である簡易足置きであるがスライドしての設置、また要介護者の足を持ちながらという作業は大幅に軽減される。同時にひざを浮かせての要介護者自らのリハビリ運動もでき、足の上下運動では腹筋に刺激を与えられ、浮いた足首を動かす事により静脈血栓塞栓症の予防も出来る。【解決手段】ベットに寝させたまま足を洗う介護用補助足置きであり、一般的な病院等のベットの手すりを利用しその上に簡易足置き本体を設置し、足置き本体は幅１１００ｍｍ厚１００ｍｍ奥行９０ｍｍ。本体上部にスポンジを厚さ５０ｍｍ綿シーツにて被覆し手すり幅芯心９５０ｍｍのベットに、３０ｍｍ広げた足置き本体下部の凹部に手すりを開きながら設置する。手すりを押し開け設置する事により、足置き本体の滑り止め効果をもたせる。【選択図】図３
2009195658.tif 000002
【特許請求の範囲】
【請求項１】
ベットに寝させたまま足を洗う介護用補助足置き。一般的な病院等のベットの手すりを利用しその上に簡易足置き本体を設置、足置き本体は幅１１００ｍｍ厚１００ｍｍ奥行９０ｍｍ。本体上部にスポンジを厚さ５０ｍｍ綿シーツにて被覆。手すり幅芯心９５０ｍｍのベットに３０ｍｍ広げた足置き本体下部の凹部に手すりを開きながら設置。手すりを押し開け設置する事により足置き本体の滑り止め効果をもたせる。
【請求項２】
ひざを浮かせる事により簡易リハビリ器具にもなり、足首の曲げ伸ばし、またひざ下の振り上げ振り下ろしの運動を行なうことにより、腹筋の運動もでき寝たきりのままで起こりうる静脈血栓塞栓症の予防にもなる。
【発明の詳細な説明】
【技術分野】
【０００１】  本発明は、介護における足浴の補助と足の簡易リハビリを目的としたものに関する。
【発明の開示】
【発明が解決しようとする課題】
【０００２】  介護時に足を持ち上げながら洗っているため両手で十分に洗う事ができずまた持ち上げながら洗うという介護側にも負担があった。【０００３】  寝たままの要介護者はエコノミークラス症候群（静脈血栓塞栓症）にならないよう介護者が適度なマッサージをおこなっている。【０００４】  本発明はこれらの要介護者の足浴をスムーズにし、また要介護者自身による簡易リハビリも兼ねたもので介護者の負担を減らすのを目的とするものである。
【課題を解決する為の手段】
【０００５】  足置き本体をベッドの手すりに設置し要介護者の足首を乗せ本体をひざ下までゆっくりとスライドさせて設置する。これにより足がベットより浮き上がり足浴が簡単におこなえる。
【０００６】  また、ひざを浮かせる事により要介護者の足の簡易リハビリ運動も可能となる。
【発明の効果】
【０００７】  上述したように本発明の医療介護用補助足置きは、介護側の負担を大幅に軽減するとともに寝たままの状態からひざを浮かす事により足の血流をうながしまた、要介護者が浮かせた足首を動かすことにより静脈血栓塞栓症を予防にもつながる。
【発明の実施するための最良の形態】
【０００８】  以下、本発明の実施の形態を図１〜図３に基づいて説明する。
【０００９】  図においては、１は足浴補助足置き本体で本体の木材上部にスポンジを綿シーツで覆ったものであり、スポンジで足との設置部分の緩和をはかる。また一般的な病院用ベッドの手すり寸法が芯心９５０ｍｍとなっているため、本体下部の凹部間隔を９８０ｍｍとし、この差により起こる摩擦を利用して手すり上を足置き本体が滑り過ぎないようにしている。
【００１０】  図においては、２は足置きの側面図を表す。
【００１１】  図においては、３は足置き本体の使用状況を表す。ベッドの手すり上を手すりの範囲移動出来るので要介護者の移動の必要がなく、また本体設置も足首側に据え付けた後、ひざの方にスライドして押し込む形で簡単に設置できる。矢印はリハビリ運動を表す。
【産業上の利用可能性】
【００１２】  現在、ベッド上に足を上げるための枕を置いたりまたそれに変わるものを置くか、または持ち上げながら足浴を行っているがそれらの手間を解消できる為介護者にとっては利便性がよく、さらにひざを掛けたまま足の上下運動により腹筋を鍛え、また足首を動かすことにより静脈血栓塞栓症予防にもなり医療介護現場での多くの利用が期待できる。
【図面の簡単な説明】
【００１３】
【図１】  正面図
【図２】  側面図
【図３】  使用例
【図１】
2009195658.tif 000003
【図２】
2009195658.tif 000004
【図３】
2009195658.tif 000005
(57)【要約】      （修正有）【課題】仰向け横臥姿勢で両端の側塔部の間に納まる両膝は側塔部の内側にある立ち上がり部と側面傾斜部に阻まれ両脚のつま先は開くことはなく脚部先端のネジレに発する腰痛の原因を除去することができる膝下枕具を提供する。【解決手段】台形状の基台１の前面に前下がりの傾斜面からなる傾斜部２を設け、基台の上面は水平状の膝のせ部３を有し膝のせ部の両端に左右対称に対向するように側塔部４を設け、側塔部の内側は中心方向に向けて下がり傾斜となる側面傾斜部６と側面傾斜部の上部には垂直に立ち上がる立ち上がり部５を有し、仰向け横臥姿勢において膝下に基台を置くことにより腰痛を緩和させることを特徴とする腰痛緩和の膝下枕具。【選択図】図１
2009195653.tif 000002
【特許請求の範囲】
【請求項１】
台形状の基台の前面に前下がりの傾斜面からなる傾斜部を設け、基台の上面は水平状の膝のせ部を有し膝のせ部の両端に左右対称に対向するように側塔部を設け、側塔部の内側は中心方向に向けて下がり傾斜となる側面傾斜部と側面傾斜部の上部には垂直に立ち上がる立ち上がり部を有し、仰向け横臥姿勢において膝下に基台を置くことにより腰痛を緩和させることを特徴とする腰痛緩和の膝下枕具。
【発明の詳細な説明】
【技術分野】
【０００１】  本発明は仰向け横臥姿勢のときに使用するもので大腿部から膝下に敷いて腰痛を緩和させることを特徴とする膝下枕具に関するものである。
【背景技術】
【０００２】  従来、腰痛緩和の器具は立位または腰掛姿勢によるものがほとんどで横臥姿勢で一般的に使用できるものはなかった。横臥姿勢の器具は治療用具として「整体治療の前後において使用する整体治療用補助具」の発明が知られている。（特許文献１）
【特許文献１】特許公開２００２−３４５８６３公報
【発明の開示】
【発明が解決しようとする課題】
【０００３】従来の腰痛緩和器具には次のような問題点があった。
（イ）仰向け睡眠姿勢において下半身の体重のほとんどを腰で支えているため腰の負担は大きく、長時間にわたる継続は困難で寝返りをして様々な睡眠姿勢となる。
（ロ）脊椎のヘルニア等の疾病をもつ人にとって患部を圧迫する横向き睡眠姿勢は困難で仰向け姿勢以外に選択の余地はなく、長時間にわたる仰向け姿勢は腰に大きな負担をかけそのため睡眠姿勢に支障をきたしている場合が少なくない。
（ハ）膝下に器具を置く「整体治療補助具」は一時的な治療用であり長時間にわたる使用を考慮していない。
（ニ）先に例示した特許文献以外にも腰痛ベルトによる特許は数種類あるが強力な締め付け力により効果はある一方、血流や神経系統への圧迫が大きいものや、効果の反作用として正常な筋力を低下させてしまうものなどがあり応急処置的な性格から日常性に乏しく、長時間の就寝時には不適である。
（ホ）また膝下が持ち上がる仕組みとして電動ベッドがあるが、介護または療養用で、広いスペースを必要とし、高価であることから一般的なものとは言い難い。
【課題を解決するための手段】
【０００４】  前面に傾斜部、後方に水平状の膝のせ部からなる台形状の基台および膝のせ部の両端に左右対称の立ち上がり部および側面傾斜部からなる側塔部を設ける。そして仰向け横臥姿勢で前面の傾斜部に両脚大腿部裏側をあてがい、膝のせ部に膝の裏側を乗せることにより下半身の体重負担の一部は腰から大腿部方向へと移動し、仰向け姿勢における腰の負担が減少し安定した姿勢となる。また仰向け横臥姿勢で両端の側塔部の間に納まる両膝は側塔部の内側にある立ち上がり部と側面傾斜部に阻まれ両脚のつま先は開くことはなく脚部先端のネジレに発する腰痛の原因を除去することができる。以上を特徴とする腰痛緩和の膝下枕具である。
【発明の効果】
【０００５】  本発明は仰向け横臥姿勢での下半身の体重負担の一部を腰から大腿部裏側および膝の裏側へ移動し負担させることにより腰痛の緩和と仰向け睡眠姿勢の安定を実現する。
両脚のつま先の開きを抑止できることにより骨盤の開きや歪みを防止し腰痛の原因の一つを除去し、血流および神経系統に支障を与えることなく自然な睡眠姿勢である仰向け横臥姿勢で夜間養生ができ、しかも通常の寝具内に納まり省スペースを実現、また単純な構造から省コストが可能となる。
【発明を実施するための最良の形態】
【０００６】  以下、本発明の実施の形態を説明する。
（イ）台形状の基台（１）の前面は前下がりの傾斜面からなる傾斜部（２）を設ける。
（ロ）基台（１）の上面は水平状の膝のせ部（３）を有し膝のせ部（３）の両端に左右対称に対向するように側塔部（４）を設ける。
（ハ）側塔部（４）の内側は内側に向けて下がり傾斜となる側面傾斜部（６）を設ける。
（ニ）側面傾斜部（６）の上部には垂直に立ち上がる立ち上がり部（５）を設ける。
本発明は、以上の構成よりなっている。
本発明を使用するときは仰向け横臥姿勢で基台の前面の傾斜部（２）に大腿部裏側下部をあてがい、膝のせ部（３）に膝の裏側を置く。この時点で下半身の体重負担の一部は腰から大腿部へ移動しており腰での体重負担減少は楽で安定的な横臥姿勢を実現する。同時に両膝は両端の側塔部（４）の間に納まっている状態となり両脚のつま先は開かない。仰向け睡眠姿勢で両脚のつま先が開いてしまうことは決して不自然ではないが、先端部の軽いネジレはテコの原理と同様に数１０ｃｍの脚部を経るなかで増幅され付け根である骨盤に至っては大きな負荷となり開きや歪みとなり腰痛をはじめ様々な障害の原因となっている。従って原因の初期段階の素因である両脚のつま先の開きというネジレを解消することが腰痛を緩和させることとなる。
また上記の形態から省スペースを実現、硬質および低反発ウレタン素材で製造可能なことから高価ではなく広く一般的な使用が可能となる。
【図面の簡単な説明】
【０００７】
【図１】本発明の斜視図
【図２】本発明の使用状態を示す側面図
【符号の説明】
【０００８】１  基台
２  傾斜部
３  膝のせ部
４  側塔部
５  立ち上がり部
６  側面傾斜部
【図１】
2009195653.tif 000003
【図２】
2009195653.tif 000004
(57)【要約】      （修正有）【課題】身体が老化することによる口腔内の唾液不足による消化力の衰えや、口内血流の悪さからくる不快感、老化による頬の弛み等、これらの症状を改善する。【解決手段】口腔内に使用できる安全な材質で形成したローラー（器具の先端）１を、口腔内で回転させマッサージする。胴体部分２は、手に持ち易く衛生的に使用できる材質と形状（例えば、歯ブラシの胴体）で形成する。ローラー部分の形状においては、回転方向別に３種類の形状が考えられる。【選択図】図１
2009195660.tif 000002
【特許請求の範囲】
【請求項１】
口腔内の両頬内側または、歯茎に沿って、ローラー（器具の先端）を手動で回転させ、口内をマッサージするための口腔内用のローラー式マッサージ器具
※注意１・・・  ローラー（器具の先端）部分の回転については、電力（電池）を使って自動回転せる場合を含めるものとする。
※注意２・・・  ローラー（器具の先端）部分の形状は、円錐形、球形、楕円形など、マッサージ効果を高めるために考えられるさまざまな形状を含めるものとする
※注意３・・・  ローラー（器具の先端）部分の口内接触面については、平面、凸凹など、マッサージ効果を高めるために考えられるさまざまな形状を含めるものとする
【発明の詳細な説明】
【技術分野】  身体健康、マッサージ器具に関する
【背景技術】  本発明は、他に無い物
【技術背景】
口腔内用のローラー式マッサージ器具が無い
【発明が解決しようとする課題】
本発明は、身体が老化することによる口腔内の唾液不足による消化力の衰えや、口内血流の悪さからくる不快感、老化による頬の弛み等、これらの症状を改善することを目的とする
【課題を解決するための手段】
口腔内に使用できる安全な材質で形成したローラー（器具の先端）を、口腔内で回転させマッサージする
【発明の効果】
口腔内をマッサージすることにより、口内の血液の循環が良くなり、唾液促進の効果が期待できる。  また口内の頬の内側をローラすることにより、頬の筋肉を刺激して弛みが引き締まり、頬が細っそりとなる効果が期待できる。  その他、歯槽膿漏の予防など口内の健康と美容の相乗効果も期待できる
【発明を実施するための最良の形態】  以下、本発明の実施の形態を、図面に基づき詳細に説明する
本発明は、第１図の概観をしており、口腔内に接触させマッサージするためのローラー部分「第１図：符号１の箇所」と、器具を手で持つための同体部分「第１図：符号２の箇所」からなる
ローラー部分は、口腔内に使用できる安全な材質と形状で形成する
同体部分は、手に持ち易く衛生的に使用できる材質と形状（例えば、歯ブラシの同体）で形成する
（注意）例えば、第２図のようにローラー部分の形状においては、回転方向別に３種類の形状が考えられるが、この他にもマッサージ部分に合わせた最良の形状と回転方法を用意する
【実施例】  例えば、口腔内をマッサージするために、器具の同体部分「第１図：符号２の箇所」を手で持ち、ローラー部分「第１図：符号１の箇所」を口腔内に入れ、
１）両頬内側をマッサージするために、両頬内側に沿って、ローラー部分を転がして、口内接触部分（両頬内側）をマッサージする
２）歯茎をマッサージするために、歯茎に沿って、ローラー部分を転がして、口内接触部分（歯茎）をマッサージする
【図面の簡単な説明】
【図１】本発明のローラー式マッサージ器具の外観図（側面）
【図２】図１のマッサージ器具の外観図（器具の正面図を、横に倒した図）  （注意）ローラー（器具の先端）の回転方向別に３種類の外観図を記載
【符号の説明】
１  器具の先端（ローラー）部分  ※先端の回転体は、直径０．８〜１．３ｃｍが最適
２  器具の同体部分              ※同体は、長さ１２〜１５ｃｍが最適
３  （実施例）ローラーの回転方向が、全方向可能な形状
４  （実施例）ローラーの回転方向が、同体の軸に対して、水平になる形状
５  （実施例）ローラーの回転方向が、同体の軸に対して、垂直になる形状
【図１】
2009195660.tif 000003
【図２】
2009195660.tif 000004
(57)【要約】【課題】    歯ブラシ実施時に、歯ブラシと補給可能な練り歯磨き入りチューブが一体化しているハブラシを提供する。【解決手段】    歯ブラシの取手の上部に補給可能な練り歯磨き入りチューブを設け、歯ブラシ実施時は、練りハミガキをチューブ先端から歯ブラシ部に押し出すことができ、先端部を可動式リングで詮が出来、チューブ後方から練りハミガキの補給ができるハミガキチューブ付きハブラシ。【選択図】図１
2009195661.tif 000002
【特許請求の範囲】
【請求項１】
歯ブラシの取手の上部に練り歯磨き入りのチューブを設け、歯ブラシ使用時は練り歯磨きをチューブ先端部分から歯ブラシ部分に押し出すことができ、チューブ先端部を可動式リング状のキャップで詮が出来、チューブ後方から練り歯磨きの補給ができるハミガキチューブ付き歯ブラシ。
【発明の詳細な説明】
【技術分野】
【０００１】  本発明は、歯ブラシの取手の上部に練り歯磨き入りのチューブを設け、歯磨き時には必要な練り歯磨きを出す事が出来るハミガキチューブ付き歯ブラシに関するものである。
【背景技術】
【０００２】  従来，歯磨きをするときは、歯ブラシと歯磨き粉又は練りハミガキ入りチューブの両方を用意しなければならない。
【発明が解決しようとする課題】
【０００３】  そのために、次のような問題点があった。
（イ）歯磨きをする場合、片手で歯ブラシを持ち、もう一方の手でチューブを持つという両手の動作が必要であった。そのため、何らかの事情で片手が使えない場合は、不便である。
（ロ）歯磨きを出先で行う場合、歯ブラシとチューブの両方を携帯する必要があるにもかかわらず、そのどちらかを忘れることがある。
（ハ）歯磨きを出先で行う場合、歯ブラシとチューブの両方を携帯する必要があるので  二つの保管場所が必要である。
本発明は以上の問題点を解決しようとするものである。
【課題を解決するための手段】
【０００４】    歯ブラシの取手の上部に練りハミガキ入りのチューブを設ける。そして、チューブの先の細い部分をチューブ先端部とし、そこに可動式リングを設け、ストッパー位置とチューブ先端部分の間を移動させることができる。チューブ後方端には練り歯磨きを補給出来る注入口が付いて、注入口を覆う蓋部にはチューブ本体と蓋部を繋ぐ蝶番を設け、開閉自在である。
【発明の効果】
【０００５】  本発明は、歯磨きする時、歯ブラシの取手に練りハミガキチューブが収納されているので一つの道具で歯ブラシをすることができる。したがって、歯ブラシと練りハミガキチューブの二つを携帯するわずらわしさがなく、どちらかを忘れる心配がない。チューブ先端部には可動式リング形状キャップが付いて、リングを移動すると必要量の練り歯磨きを出すことが出来、リングをストッパーまで戻すとリングは締まり、水がチューブ本体内部に浸入するのを防ぐ事ができる。また、チューブ後方から練り歯磨きを補給することができる。
【発明を実施するための最良の形態】
【０００６】  以下、本発明の実施の形態について説明する。
（イ）硬質樹脂からなる長尺状の平板である取手（１）の上端に、先が次第に細くなる細長状の首部（２）を設け，首部基部の周りに凸形状からなるストッパー（３）を設ける。
（ロ）ストッパー（３）の凸形状と噛みあう凹形状の溝を内側に設けた可動式リング（４）で首部（２）を覆う。
（ハ）軟質合成樹脂からなるチューブ（５）と取手の首部と同じ細さのチューブ先端部（６）をハブラシ取手（１）と首部（２）の上に載せて設け、首部（２）を可動式リング（４）に通す。可動式リング（４）は、首部（２）とチューブ先端部（６）を一体化した状態で、外側を前後に可動自由とする。
（ニ）チューブの後端部に、テーパー状の注入口（７）を覆う蝶番（８）の付いた蓋（７）を設ける。
本発明は、以上の構成より成っている。
本発明を使用するときは、上記の練りハミガキ入りチューブ（５）の先端の可動式リング（４）をブラシ部（９）側にずらし、チューブ先端部（６）と稼働式リング（４）の間に隙間を作り、チューブ（５）の中身を必要量押し出す。チューブ先端部（５）からブラシ部（９）の根元に練り歯磨きが出る。可動式リング（４）をストッパー（３）まで戻すとチューブ先端部（６）とリング（４）間の隙間がなくなり、中身が出なくなる。  歯ブラシをする時、水を使ってもチューブの内部に水が侵入することはない。なお、チューブの中身を補給するときは、テーパー形状から成るチューブ後端の注入口（６）から好みの練りハミガキを補給することができる。テーパー状なので  補給するチューブの口のサイズの多様に対応できる。
【図面の簡単な説明】
【０００７】
【図１】  本発明の斜視図
【図２】  本発明の分解斜視図
【図３】  本発明の要部拡大斜視図
【図４】  本発明の使用時要部拡大斜視図
【図５】  本発明の使用時要部拡大断面図
【図６】  本発明の使用時要部拡大断面図
【図７】  本発明の使用時斜視図
【符号の説明】
【０００８】  １  取手
２  首部
３  ストッパー
４  可動式リング
５  チューブ
６  チューブ先端部
７  蓋部
８  注入口
９  ブラシ部
１０  蝶番
１１  練ハミガキ容器
１２  溝
１３  歯ミガキ
１４  隙間
１５  指
【図１】
2009195661.tif 000003
【図２】
2009195661.tif 000004
【図３】
2009195661.tif 000005
【図４】
2009195661.tif 000006
【図５】
2009195661.tif 000007
【図６】
2009195661.tif 000008
【図７】
2009195661.tif 000009
(57)【要約】【課題】  立体を組立てるパズルを組立てる際に、同時に２つのものを組立てる複雑な思考が必要となり高度な空間認識力や忍耐力を向上することができるように、内部ピース封入式二重構造立体組立てパズルを提供する。【解決手段】  立体を組立てるパズルの各ピースの外部を透明で内部を空洞のものとし、内部にもピースを封入して二重構造とした内部ピース封入式二重構造立体組立てパズルを特徴とする。【選択図】図１
2009195663.tif 000002
【特許請求の範囲】
【請求項１】
立体を組立てるパズルの各ピースの外部を透明で内部を空洞のものとし、内部にもピースを封入して二重構造とした
内部ピース封入式二重構造立体組立てパズル。
【発明の詳細な説明】
【技術分野】
【０００１】  この発明は、立体を組立てるパズルの各ピースの外部を透明で内部を空洞のものとし、内部にもピースを封入して二重構造とした内部ピース封入式二重構造立体組立てパズルに関するものである。
【背景技術】
【０００２】  従来、立体を組立てるパズルは各ピースの外観の形状のみを用いて立体を組立てるもので複雑な構造をもっていなかった。
【発明の開示】
【発明が解決しようとする課題】
【０００３】  これは、次のような欠点があった。
従来、立体を組立てるパズルは各ピースの外観をたよりとして立体を組立てるもので各ピースは複雑な構造を持っておらず、組立てる形状も単純な形状となり、単調な思考のみで立体を組立てることができた。
本発明は、以上のような欠点をなくすためになされたものである。
【課題を解決するための手段】
【０００４】  立体を組立てるパズルの様々な外観の形状を持たせた各ピースの外部を透明で内部を空洞のものとし、内部にも立方体型のピースを封入して二重構造とする。
本発明は、以上の構成よりなる内部ピース封入式二重構造立体組立てパズルである。
【発明の効果】
【０００５】  立体を組立てるパズルの外部のピース（１）と内部のピース（２）が二重構造になっているので、組立てる立体も二重構造の複雑な形状のものとなる。
このため、組立てる際には同時に２つのものを組立てる複雑な思考が必要となり、高度な空間認識力や忍耐力を向上することができる。
【発明を実施するための最良の形態】
【０００６】  以下、本発明を実施するための最良の形態について説明する。
立体を組立てるパズルを分解した最小単位となるピースの外部を透明で内部が空洞となる素材で構成し、内部には１色以上の有色の立方体型のピースを０個又は１個以上封入する。
内部のピース（２）は外部のピース（１）の形状の制約を受ける範囲で内部の移動を容易に行えるよう、立方体の辺や角を落とす。
このような、ピースを目的となる立体を組立てることができるようにピースの外観の形状、内部のピースの個数・色を調整したものを複数個で構成する。
本発明は、以上のような構造である。
これを使用するときは、ピースの外観及び内部ピースの色、個数やピース内部での位置を手がかりに二重構造の立体組み立てパズルを組立てれば良い。
応用例として、組立てる外観を立方体、組立てる内部のピース（２）の状態も立方体となるよう各ピースを構成した二重構造立方体（３）の立体組み立てパズルが考えられる。また、内部のピースを２色とすることで組立てる内部のピース（２）の状態を市松模様の立方体とすることもでき、難易度を調整することが可能である。
【図面の簡単な説明】
【０００７】
【図１】  本発明のピース構造斜視図
【図２】  本発明の内部ピース斜視図
【図３】  本発明のピース構成例平面図
【図４】  本発明の組立て例（二重構造立方体）外観斜視図
【図５】  本発明の組立て例（二重構造立方体）内部透明斜視図
【符号の説明】
【０００８】  １  外部のピース
２  内部のピース
３  二重構造立方体
【図１】
2009195663.tif 000003
【図２】
2009195663.tif 000004
【図３】
2009195663.tif 000005
【図４】
2009195663.tif 000006
【図５】
2009195663.tif 000007